(57)【特許請求の範囲】
【請求項１】
建物（１）の柱（１ａ）と柱（１a）の間には、横柱（１ｃ）を取り付け、
該横柱（１ｃ）と横柱（１ｃ）の間には、圧力板（３ａ）を取り付け、
該圧力板（３ａ）の上には、空気室（３）を具備し、
該空気室（３）は、空気を入れた袋であり、
該空気室（３）の上に、床面（２）を取り付け、
該圧力板（３a）は、該床面（２）に加わった重力を、該空気室（３）が介在することで、圧力に変換し、
さらに変換した圧力を、該圧力板（３a）の張る力に代えて前記横柱（１ｃ）に伝え、
該横柱（１ｃ）は、前記柱（１a）を介して地面（１ｂ）に重力を伝えることを特徴とする床の加圧補強構造。
【請求項２】
建物（１）の柱（１ａ）と柱（１a）の間には、横柱（１ｃ）を取り付け、
該横柱（１ｃ）と横柱（１ｃ）の間には、床面（２）を取り付け、
地面（１ｂ）と該床面（２）との間に、空気室（３）の袋の中に空気を入れて、隙間なく具備し、
該床面（２）に発生した重力は、該空気室（３）の圧力となり、
該圧力は、周囲の壁面と該地面（１ｂ）に伝わることを特徴とする床の加圧補強構造。
【発明の詳細な説明】
【技術分野】
【０００１】
本発明は、建物の床の下部に圧力をかけて、加圧して補強する床の加圧補強構造に関するものである。
【背景技術】
【０００２】
従来の建物の床は、まず基礎をして、横柱をアンカーボルトで固定さし、柱を建てる。その柱の３０センチの所へ横柱を取り付ける。その横柱の上に、大引けを９０センチ間隔で通し、それと直角に交わるように、その上に根太を、４５センチ間隔で並べて固定する。したがって、中央の部分が下に歪むときは、東石の上に床束を用い、補強をしていた。そして、その上にコンパネなどを張って、さらに畳みや絨毯などを張り、その上で生活していた。
【０００３】
特許文献１の特願２０１０−１９５２５７の橋は、橋桁の内部にコンプレッサーまたは圧搾ボンベで圧力をかけて、床面が膨れるのを補強が押さえる。したがって、空気は軽いのと、圧力は全体に加わるので、気圧１０００ｍｍＡｑで全体を加圧補強する橋があった。その橋の、床面の構造を、建物の床面に応用するものである。
【先行技術文献】
【特許文献】
【０００４】
【特許文献１】特願２０１０−１９５２５７
【特許文献２】特開２０１０−２４６４６
【特許文献３】特開２０１０−２８１１６４
【特許文献４】特開２００９−２２１６７１
【発明の開示】
【発明が解決しようとする課題】
【０００５】
従来の建物の床は、まず基礎をして横柱をアンカーボルトで固定さし、柱を建てる。その横柱の上に大引けを９０センチ間隔で通し、それと直角に交わるように根太を４５センチ間隔で並べて固定する。したがって、中央の部分が下に歪むときは、東石の上に床束を用い補強をしていた。そして、そのにコンパネなどを張って、さらに畳みなどを張り、その上で生活をしていたが、それをもっと簡単にするものである。
【０００６】
特許文献１の特願２０１０−１９５２５７の橋は、橋桁の内部にコンプレッサーまたは圧搾ボンベで、気圧１０００ｍｍＡｑの圧力をかけて、床面が膨れるのを補強が押さえていたが、本発明の床の加圧補強は気圧１００ｍｍＡｑでよく、気圧１００ｍｍＡｑの圧力は、人の吐く、息の圧力である。
【０００７】
そこで、本発明の床の加圧補強構造は、柱（１ａ）を建て、柱（１ａ）から柱（１ａ）に横柱（１ｃ）を通し、その横柱（１ｃ）の上側には、圧力板（３ａ）を取り付ける。その圧力板（３ａ）の上には、空気室（３）を保つ袋を取り付ける。その上に、床面（２）を取り付け、空気室（３）の中に気圧が加わわることで、床面（２）は気圧で持ち上がった状態である、床の加圧補強構造を提供するものである。
【課題を解決するための手段】
【０００８】
上記目的を達成するために、本発明の床の加圧補強構造は、建物（１）の柱（１ａ）に横柱（１ｃ）を取り付け、その横柱（１ｃ）には圧力板（３ａ）を取り付け、その圧力板（３ａ）の上には、空気室（３）を具備し、その上に、床面（２）を取り付けることで目標を達成した。
【０００９】
請求項２の床の加圧補強構造は、建物（１）の柱（１ａ）に横柱（１ｃ）を取り付け、その横柱（１ｃ）には床面（２）を取り付け、地面（１ｂ）と床面（２）との間に、空気室（３）を具備していることで目標を達成した。
【発明の効果】
【００１０】
本発明の床の加圧補強構造は、次のような効果がある。
（イ）床の加圧補強構造は、従来の床構造より安くできる。
（ロ）床の加圧補強構造は、床面の内部の空気が補強するので、空気は軽い。
（ハ）床の加圧補強構造は、床面の内部を加圧すると、中に溜まった空気は、床面が膨れるので、それを押さえるために根太がある。
（ニ）床の加圧補強構造は、０．００１パスカル（１００ｍｍＡｑ）の圧力で、１平方メートルあたり０．１トンを支える。
（ホ）１００ｍｍＡｑの圧力は、人が息を吹いたので、十分の圧力である。
（ヘ）床は空気なので、断熱材の変わりをする。
（ト）床は空気なので、軽くなるとそれを支える壁と柱も軽くなり、ビルでは半分以下の重量になる。
（チ）軽くなると、高層建築も建てやすくなる。
（リ）緩衝材の、空気を閉じ込めたエアーバッグを空気室に使うと、空気を入れる手間が省ける。
【図面の簡単な説明】
【００１１】
【図１】図は、建物のフローリングを使用した断面図である。
【図２】図は、建物の根太を使用した断面図である。
【図３】柱と横柱の斜視図である。
【図４】横柱に、圧力板を取り付けた斜視図である。
【図５】圧力板の上に、空気室を取り付けた斜視図である。
【図６】空気室の上に、根太を取り付けた斜視図である。
【図７】根太の上に、コンパネを取り付けた斜視図である。
【図８】図は、請求項２の建物の断面図である。
【発明を実施するための最良の形態】
【００１２】
本発明の床の加圧補強構造は、建物（１）の２階の、床面（２）の下部に、空気室（３）を取り付け、その空気の圧力で、床面（２）を支えるものである。なぜ良いかと言うことを説明すると、空気を介在することで、部分的に加わった力は、全体に広がるからである。その床面（２）を作る方法は、まず柱（１ａ）を四隅に建て、柱（１ａ）から柱（１ａ）へ、横柱（１ｃ）を渡す。それと同様に、軒桁や垂木も組むが、本発明は床の発明なので、説明を省く。
【００１３】
そして、横柱（１ｃ）を取り付けると、その上に圧力板（３ａ）を取り付ける。圧力板（３ａ）は、柱（１ａ）の所が邪魔になるので、柱（１ａ）の接触する部分を切り除いておくか、切れ目を入れて柱（１ａ）と干渉する部分を、柱（１ａ）の方に曲げて取り付ける。横柱（１ｃ）の上に乗せた圧力板（３ａ）は、横柱（１ｃ）と圧力板（３ａ）が重なる場所に接着剤を塗り、さらに止具（３ｂ）を使用して、圧力板（３ａ）を横柱（１ｃ）に止める。
【００１４】
張った圧力板（３ａ）の上に、空気室（３）を保つ袋を中央に置き、横柱（１ｃ）との接触を避けるぐらいの大きさの、空気室（３）が良い。空気室（３）の袋は、空気取入口が具備されており、浮輪の空気を入れるものと、同じものが付いている。
【００１５】
そして、その上からフローリング（２ａ）を張って、床面（２）を作り、空気室（３）の袋に空気を送る。そうすると、中に入った空気の圧力で、圧力板（３ａ）は下に下がり、フローリング（２ａ）は上に歪む。したがって、余り大きく歪まないぐらいの、強度を持ったフローリング（２ａ）が望ましい。
【００１６】
フローリング（２ａ）に物を乗せたときは、フローリング（２ａ）が下に歪み、下に沈んだ分の空気室（３）の空気が圧縮され、フローリング（２ａ）全体を上にあげる力になり、それらの力は圧力板（３ａ）に伝わり、圧力板（３ａ）に伝わった力は、横柱（１ｃ）に加わる。したがって、フローリング（２ａ）の上に物を置いても、中の空気室（３）の空気が介在して、気圧を上げるため、気圧は全体に加わっているので、一部に負担が加わらない。
【００１７】
その他、空気室（３）の上に、根太（２ｂ）を取り付ける方法もある。横柱（１ｃ）に圧力板（３ａ）を取り付けてあり、その上に空気室（３）の袋を置く。そして、その上に根太（２ｂ）を、横柱（１ｃ）と横柱（１ｃ）に掛け渡す。空気室（３）は圧力板（３ａ）に支えられ、空気を介して根太（２ｂ）を上に押し上げる力となっている。
【００１８】
したがって、根太（２ｂ）がある分、コンパネ（２ｃ）の強度は押さえられ、さらにコンパネ（２ｃ）の上に、畳みなどを敷くとよい。畳を敷くと根太（２ｂ）の間のコンパネ（２ｃ）は圧力で補強されているので、上に歪んだ状態になっているので、従来の下に歪んだ状態から、重量を受けて更に下に歪むものとは違うため、床面（２）が壊れ難い。
【００１９】
請求項２の床の加圧補強構造は、柱（１ａ）を建て、柱（１ａ）から柱（１ａ）に横柱（１ｃ）を通し、その横柱（１ｃ）の上に床面（２）があり、その床面（２）はフローリング（２ａ）または、根太（２ｂ）を渡し、その上部にコンパネ（２ｃ）などを張る方法がある。そして、床面（２）の下部に、空気室（３）を設け、その空気室（３）は空気取入口が具備していて、地面（１ｂ）から空気の圧力で、床面（２）を支えるものである。
【００２０】
したがって、横柱（１ｃ）とフローリング（２ａ）または、根太（２ｂ）とコンパネ（２ｃ）は、下方向に歪んでいたが、本発明では下部から圧力を加えるため、上に歪まないようにフローリング（２ａ）または、根太（２ｂ）とコンパネ（２ｃ）を補強する。
【実施例１】
【００２１】
以下、本発明の実施例について、図面を参照して説明する。
図１の断面図は、二階立ての建物（１）の、二階の床面（２）を横から見た図である。その図は、縦８メートル、横１０メートル、高さ９メートルの２階建てプレハブである。床面（２）は、地面（１ｂ）から４メートルの高さにある場合を説明する。
【００２２】
横柱（１ｃ）の上には、圧力板（３ａ）が具備されており、その上に空気室（３）がある。その上に、長さ８メートルの、厚み２センチの、横幅２０センチのフローリング（２ａ）を横幅が１０メートルなので、縦に５０枚張っている。そして、空気室（３）の中には、空気取入口から空気を、気圧１００ｍｍＡｑの圧力を加えたところである。
【００２３】
その空気室（３）は、ゴムボートのような材質でできており、空気取入口もゴムボートと同じものでよく、人間の吹き込む圧力で、気圧３０００ｍｍＡｑの圧力はだせる。また、空気室（３）は１個にする必要はなく、適当に入った空気室（３）の袋を、フローリング（２ａ）が上に上がらないように取り付ける。
【００２４】
そして別の空気室（３）の袋で、空気の入っていない物を用意し、フローリング（２ａ）を張った後で、その袋に空気を送ると、前に入れた空気室（３）も圧縮されて、全体に平均的に圧力が加わる。そして、床面（２）の気圧１００ｍｍＡｑの圧力で、中央は１０ミリ持ち上がり、微かな凸面になる。床面（２）とフローリング（２ａ）は同じ物で、根太（２ｂ）を使用しない場合に、フローリング（２ａ）を使用する。
【００２５】
一方、圧力板（３ａ）は空気室（３）を介して床面（２）のフローリング（２ａ）があるため、圧力板（３ａ）が３ｍｍのポリカーボネートでできていても、フローリング（２ａ）よりは圧力で歪み、圧力板（３ａ）の中央は約３０センチ下に下がっており、全体の空気室（３）の空気は、約５立方メートル溜まっている。そのとき、温度で空気室（３）の気圧かかわるように思えるが、圧力板（３ａ）も温度が上がるのにあわせて緩むので、気圧は、凡そ一定に保てる。
【００２６】
また、床面（２）のフローリング（２ａ）は通しで、左右の横柱（１ｃ）にしっかりと取り付け、男木と女木の凸凹でできているため、フローリング（２ａ）は一体となって重力を分散する。
【００２７】
では、１トンの重量物を机（４）の上に置いた場合、床面（２）の中央は２ミリ下がり、気圧１００ｍｍＡｑの、そのままの圧力で、気圧１００ｍｍＡｑの圧力は８トンを支える力となっているので問題は無い。したがって、重さを支えるための補強は要らないが、部分的に引っ込むことが無いように、フローリング（２ａ）には、それなりの強度が必要である。
【００２８】
その次に、１２トンの重量物を机（４）の上に置いた場合、床面（２）の中央は逆に４０ミリ下がり、気圧１６０ｍｍＡｑの圧力となり、気圧１６０ｍｍＡｑの圧力は１２．８トンを支える力となる。このとき圧力が上がることで、フローリング（２ａ）全体が支え、その圧力は周囲の横柱（１ｃ）に伝わり、横柱（１ｃ）は１センチあたり３キログラムの重力が加わる。
【００２９】
また次に、１２０トンの重量物を、１平方メートルの上に置いた場合は、床面（２）の中央は逆に８０ミリ下がり、気圧１５００ｍｍＡｑの圧力となり、空気室（３）の空気は５立方メートルから４．７５立方メートルに圧縮される。したがって、重量の加わっている所では、１２０トンが加わり、１センチあたり１２キログラムが加わり、重量の加わっていない所では逆に１センチあたり１５０グラムの力が加わり、上に押し上げる。ちなみに、１センチあたり１２キログラムの圧力は、満員電車の中で立っている、女性のハイヒールで、１センチあたり５０キログラムの圧力よりは少ない。
【００３０】
そのため、フローリング（２ａ）の重量の加わっている所と、重量の加わっていない所から破損する恐れがあるので、そのフローリング（２ａ）全体に広げると０．２５立方メートルは５ミリ下にさがり、その圧力は周囲の横柱（１ｃ）に伝わり、横柱（１ｃ）は１センチあたり３５キログラムの重力が加わる。したがって、１２０トンの重量物でも、この床の加圧補強なら作ることができる。
【００３１】
しかし、床面（２）ならびに圧力板（３ａ）はもつとしても、柱（１ａ）や横柱（１ｃ）はもたない可能性があり、一般建造物には、最高１０トンぐらいで、この構造は下からの補強がなくても、圧力板（３ａ）の２００ｍｍＡｑに耐えるだけでよいため、従来の床よりも軽くでき、高層建築に使用すると軽くできるため、耐震性も強くなる。
【００３２】
また、圧力板（３ａ）には、金属のステンレスを用いると溶接ができ、高層建築などにはよい。また、鉄製で制作するときは、金属が錆びる分を計算して、厚みの厚いものを使用する。しかし、床面（２）であるので、錆のことを気にしないステンレスの方が良い。
【実施例２】
【００３３】
図２の断面図は、建物（１）を横から見た図で、床面（２）は根太（２ｂ）とコンパネ（２ｃ）で構成されていて、床面（２）とコンパネ（２ｃ）は同じ物であるため、図のように床面（２）とコンパネ（２ｃ）は同じ所を指している。その図は、縦８メートル、横１０メートル、高さ９メートルの２階建てプレハブである。床面（２）は、地面（１ｂ）から４メートルの高さにある場合を説明する。
【００３４】
まず、作り方の説明をする。図３の斜視図は、４方に柱（１ａ）を建て、横柱（１ｃ）を取り付けたところである。一番向こう側の柱（１ａ）は、地面（１ｂ）に設置していることを現している。地面（１ｂ）と柱（１ａ）は、この床の構造には直接関係ないので、説明を省き、柱（１ａ）と横柱（１ｃ）の間の、斜交いの説明も省く。したがって、柱（１ａ）が４本立って、その柱（１ａ）を横柱（１ｃ）が繋いでいるところである。
【００３５】
図４の斜視図は、横柱（１ｃ）を取り付けて、４隅を柱（１ａ）に当たるところを取り除いた圧力板（３ａ）であるが、対角線上に切れ目を入れ、そして柱（１ａ）と干渉する部分を曲げ、柱（１ａ）に曲げた所を止具（３ｂ）によって取り付ける。その圧力板（３ａ）は、ポリカーボネートの厚み３ミリの物を、横柱（１ｃ）に止具（３ｂ）を８個〜１０個止めたところである。その止める方法は、ポリカーボネートを絨毯を敷くように丸め、東の横柱（１ｃ）を止めてから、徐々に丸めていたポリカーボネートを開き、開いた所から止具（３ｂ）で止めると、中央が重力で垂れることなく張れる。
【００３６】
その止具（３ｂ）を使用する前に、接着剤を横柱（１ｃ）の上部と、圧力板（３ａ）の下部に塗り、横柱（１ｃ）が軽量鉄骨の場合はリベットで止め、横柱（１ｃ）が木材の場合は釘または捩子釘で止める。また、圧力板（３ａ）が下から垂れないように支えている場合には、そのままの形でも張れる。
【００３７】
図５の斜視図は、圧力板（３ａ）の上に空気室（３）の袋で、その袋は図面では分かり難いので、斜線を孔子状に書いたものを、乗せたところである。空気室（３）の袋は、横柱（１ｃ）に接触しない程度に小さくなっており、空気が漏れないぐらいの強度が必要である。
【００３８】
また、緩衝材の空気を閉じ込めたプチプチ袋（エアーバッグ・気泡緩衝材）があった。そのプチプチ袋の、空気室（３）が１個１００ｃｃあるような物を作り、中央が歪むのを予想して、中央を２枚重ね、３枚重ねとして、その上から根太（２ｂ）を押さえ付けて止める方法もある。プチプチ袋は細かく空気室（３）が独立してあり、その空気室（３）一つを圧縮するように、床面（２）が圧縮すると、その空気室（３）の空気は、隣の空気室（３）を横に押し、全体が圧縮されるので、空気室（３）の構造は色々にできる。
【００３９】
図６の斜視図は、圧力板（３ａ）の上に空気室（３）を乗せて、その上に根太（２ｂ）を、横柱（１ｃ）から横柱（１ｃ）に６本止めたところで、２メートル間隔に止め、大きさは５０ｍｍ×５０ｍｍである。軽量鉄骨の場合は、ボルトで根太（２ｂ）と横柱（１ｃ）を通して止め、木材を使用しているときには、釘または捩子釘で止める。また、根太（２ｂ）の下の面は、空気室（３）の袋に直接触れるところであり、空気室（３）から空気が漏れるのを防ぐため、下の面は、角を丸くする面取りが必要である。
【００４０】
図７の斜視図は、根太（２ｂ）を横柱（１ｃ）から横柱（１ｃ）に６本止めたところに、コンパネ（２ｃ）を１０枚ならべて、釘（２ｄ）またはリベットで、根太（２ｂ）に止めたところである。この空気室（３）に空気を入れた場合は、圧力は根太（２ｂ）に直接加わるが、コンパネ（２ｃ）の根太（２ｂ）から離れた中央も、直接空気室（３）の袋が接するため、コンパネ（２ｃ）は緩やかな凸面を保っている。
【００４１】
図２の断面図は、空気室（３）の空気取入口から空気を入れたところである。空気室（３）の空気取入口は、浮輪の空気取入口のような物で良いため、説明は省く。その空気取入口から空気を入れ、気圧は１００ｍｍＡｑで、１平方メートル当たり１００キロの支える力があり、何も乗っていない場合は、根太（２ｂ）が下からの圧力を、止めるために付いているため、根太（２ｂ）は中央が１０ｍｍ持ち上がっている。
【００４２】
そして、根太（２ｂ）と根太（２ｂ）の間のコンパネ（２ｃ）は、２ｍｍ持ち上がっているが、その上に立つ人には、分からない程である。一方、圧力板（３ａ）は空気室（３）に空気を入れたことで、中央部分は２０センチ下に垂れ下がり、気圧１００ｍｍＡｑの圧力を、凹面になることで気圧を保っている。
【００４３】
そして２００キロの物を置くと、１００キロで元え戻り、さらに１００キロで１０ｍｍ下がる予定であるが、上からの力はコンパネ（２ｃ）や根太（２ｂ）で複雑になり、結果的には５ｍｍ下がる程度である。
【００４４】
さらに１トンの物を、真ん中へ置いた場合は、補強の根太（２ｂ）とコンパネ（２ｃ）が１トンの力を支え、歪む範囲が半径１．５メートルで、９平方メートルであるから９００キロの力で支え、中央は１センチ下がり、気圧は１０２ｍｍＡｑになり、その力は横柱（１ｃ）の１辺８メートルに平均的に力が加わり、横柱（１ｃ）全体で２５０キロの力が加わる。つまり、１トンぐらいでは気圧は殆ど変わらず、影響は無い。
【００４５】
次に１０トンの物を、真ん中へ置いた場合は、補強の根太（２ｂ）とコンパネ（２ｃ）が１０トンの力を支え、歪む範囲が４メートルで、６４平方メートルでこの床面（２）全体であり、中央は３センチ下がり気圧は１２５ｍｍＡｑになり、その力は横柱（１ｃ）の１辺８メートルと１０メートルに、平均的に力が加わり、横柱（１ｃ）全体で約２，５００キロの力が加わる。
【００４６】
したがって、加わった重力は、圧力に置き変わって、平均的に横柱（１ｃ）に加わり、加わった力は柱（１ａ）を介して地面（１ｂ）に伝わるので、例え１０トンの物を上に乗せても、平均的に力が加わるため、気圧は１２５ｍｍＡｑは少ない圧力である。
【実施例３】
【００４７】
図８の断面図は、請求項２の床の加圧補強構造で、その図は、縦８メートル、横１０メートル、高さ５メートルの１階建てプレハブである。建物（１）の床面（２）の下部に、空気室（３）を取り付け、その空気室（３）は、床面（２）と地面（１ｂ）の間に具備している。床面（２）は、地面（１ｂ）から１メートルの高さにあり、中に入った空気は８０立方メートルである。
【００４８】
次に１０トンの物を、真ん中へ置いた場合は、補強の根太（２ｂ）とコンパネ（２ｃ）が１０トンの力を支え、歪む範囲が４メートルで、６４平方メートルでこの床面（２）全体であり、中央は３センチ下がり気圧は１２５ｍｍＡｑになり、その力は直接地面（１ｂ）に力が加わり、横柱（１ｃ）には殆ど加わらない。
【００４９】
また次に、１２０トンの重量物を、１平方メートルの上に置いた場合は、床面（２）の中央は逆に８０ミリ下がり、気圧１５００ｍｍＡｑの圧力となり、空気室（３）の空気は８０立方メートルから７６立方メートルとなる。したがって、重量の加わっている所では１２０トンが加わり、１センチあたり１２キログラムが加わり、重量の加わっていない所では逆に１センチあたり１５０グラムの力が加わり、上に押し上げる。
【００５０】
そのため、フローリング（２ａ）の重量の加わっている所と、重量の加わっていない所から破損する恐れがあるので、そのコンパネ（２ｃ）全体に広げると４立方メートルは８０ミリ下にさがり、その圧力は周囲の壁と地面（１ｂ）に伝わり、横柱（１ｃ）には力は加わらない。
【００５１】
したがって地面（１ｂ）から支えるときは、加わった重力は、圧力におき代わって、平均的に地面（１ｂ）に加わるので、無限に重たい物を乗せることが可能である。
【産業上の利用可能性】
【００５２】
（イ）高層ビルの床に本発明を使用すると、軽くて良い。１平方メートルに対して、２０センチの床をコンクリートで作ると、５００キログラムの重さがあるが、本発明では１０キログラム以下にでき、高層建築には軽いことは最大の利点である。
【００５３】
ビルの、８０％は床面（２）のために、強度を保っている。したがって、床面（２）が軽い空気の加圧補強をして、その軽さが５０分の１になったとすると、床面を支えるために壁面も強度を強くする必要が無く、床面（２）が軽いと壁面も薄くでき、それを支える柱（１ａ）も軽くでき、建設費も安くできる。
【００５４】
耐震構造の偽装で、新しいビルが基準を達していないと、ビルを取り壊していたが、従来の床面を取り外してくりぬき、床面（２）を本発明のようにすると、最上階だけの改造で検査が通る。また、最上階だけの改造では、許可が降りない場合には、その次の階を改造する。
【００５５】
（ロ）床を体育館などに使用するときは、地面（１ｂ）の上に空気室（３）の袋を多数詰め込み、最後の１個だけを圧力を調整しながら空気を送ると、最初に入れた空気室（３）は横に押されて、空気室（３）も圧縮され、全体が空気によって加圧補強される。
【符号の説明】
【００５６】
１  建物        １ａ  柱          １ｂ  地面        １ｃ  横柱
２  床面        ２ａ  フローリング      ２ｂ  根太        ２ｃ  コンパネ
２ｄ  釘
３  空気室      ３ａ  圧力板      ３ｂ  止具
４  机
【図１】
0005519579.tif 000002
【図２】
0005519579.tif 000003
【図３】
0005519579.tif 000004
【図４】
0005519579.tif 000005
【図５】
0005519579.tif 000006
【図６】
0005519579.tif 000007
【図７】
0005519579.tif 000008
【図８】
0005519579.tif 000009